(57)【特許請求の範囲】
【請求項１】
複数の床梁が外ダイヤフラムを介して接合される床枠組を形成してなるとともに、複数の柱が外ダイヤフラムに挿入されて固定され、骨組構成材としての天井梁は備えない建物ユニットを上階建物ユニットと下階建物ユニットとして用いてなるユニット建物であって、
上階建物ユニットの一部の床梁を下階建物ユニットの輪郭の外方に張出すとともに、
下階建物ユニットの柱の上端部と、これに対応する上階建物ユニットの外ダイヤフラムに挿入された柱の下端部とが接合され、
前記上階建物ユニットの床枠組を構成する外ダイヤフラムのうち、該上階建物ユニットの柱は挿入されず、下階建物ユニットの柱に対応する外ダイヤフラムには、該下階建物ユニットの柱の上端部が接合される短柱が挿入されてなることを特徴とするユニット建物。
【請求項２】
前記上階建物ユニットの柱の下端部と、下階建物ユニットの柱の上端部のそれぞれに係合部を備え、両柱の内部に挿入された嵌合体を両係合部に嵌合し、該嵌合体によりそれら両係合部を挟持することにより、両柱を接合してなる請求項１に記載のユニット建物。
【請求項３】
複数の床梁が外ダイヤフラムを介して接合される床枠組を形成してなるとともに、複数の柱が外ダイヤフラムに挿入されて固定され、骨組構成材としての天井梁は備えない建物ユニットを上階建物ユニットと下階建物ユニットとして用いてなるユニット建物であって、
上階建物ユニットの一部の床梁を下階建物ユニットの輪郭の外方に張出すとともに、
下階建物ユニットの柱の上端部と、これに対応する上階建物ユニットの外ダイヤフラムに挿入された柱の下端部との接合は、前記上階建物ユニットの柱の下端部と、下階建物ユニットの柱の上端部のそれぞれに係合部を備え、両柱の内部に挿入された嵌合体を両係合部に嵌合し、該嵌合体によりそれら両係合部を挟持することにより、両柱を接合してなることを特徴とするユニット建物。
【請求項４】
前記上階建物ユニットの床枠組が、下階建物ユニットの全ての柱に対応する外ダイヤフラムを備え、それらの外ダイヤフラムに接合される床梁により下階建物ユニットの輪郭に対応する部分枠組を形成してなる請求項１〜３のいずれか一項に記載のユニット建物。
【発明の詳細な説明】
【０００１】
【発明の属する技術分野】
本発明はユニット建物に関する。
【０００２】
【従来の技術】
従来、複数の建物ユニットからなるユニット建物において、上階建物ユニットの一部の床梁を下階建物ユニットの輪郭の外方に張出す（オーバーハング）に際し、下階建物ユニットの柱の上端部に接合した張出支持部材で上階建物ユニットの張出部を支持するものがある（特公平8-14151号公報参照）。
【０００３】
【発明が解決しようとする課題】
然しながら、従来技術では、上階建物ユニットに張出部を設けるのに、下階建物ユニットに張出支持部材を設けることが必要となり、構造が複雑で外観性を損ない、施工工数も多大となる。
【０００４】
本発明の課題は、上階建物ユニットに張出部を設けるに際し、構造を単純化するとともに、外観性を簡素にし、施工工数も低減することにある。
【０００５】
【課題を解決するための手段】
請求項１記載の本発明は、複数の床梁が外ダイヤフラムを介して接合される床枠組を形成してなるとともに、複数の柱が外ダイヤフラムに挿入されて固定され、骨組構成材としての天井梁は備えない建物ユニットを上階建物ユニットと下階建物ユニットとして用いてなるユニット建物であって、上階建物ユニットの一部の床梁を下階建物ユニットの輪郭の外方に張出すとともに、下階建物ユニットの柱の上端部と、これに対応する上階建物ユニットの外ダイヤフラムに挿入された柱の下端部とを接合してなるようにしたものである。
【０００６】
更に、前記上階建物ユニットの床枠組を構成する外ダイヤフラムのうち、該上階建物ユニットの柱は挿入されず、下階建物ユニットの柱に対応する外ダイヤフラムには、該下階建物ユニットの柱の上端部が接合される短柱が挿入されてなるようにしたものである。
【０００７】
また、前記上階建物ユニットの柱の下端部と、下階建物ユニットの柱の上端部のそれぞれに係合部を備え、両柱の内部に挿入された嵌合体を両係合部に嵌合し、該嵌合体によりそれら両係合部を挟持することにより、両柱を接合してなるようにしたものである。
【０００８】
ここで、本発明において更に、前記上階建物ユニットの床枠組が、下階建物ユニットの全ての柱に対応する外ダイヤフラムを備え、それらの外ダイヤフラムに接合される床梁により下階建物ユニットの輪郭に対応する部分枠組を形成してなるようにしたものである。
【０００９】
（作用）本発明によれば下記の作用がある。
上階建物ユニットを下階建物ユニットより張出すに際し、下階建物ユニットの柱の上端部と、これに対応する上階建物ユニットの外ダイヤフラムに挿入された柱の下端部とを接合することにより、上階建物ユニットと下階建物ユニットを強固に接合でき、下階建物ユニットに張出支持部材等を設けることのない単純な構造で、上階建物ユニットの張出部を支持できる。これにより、建物の外観性を簡素にし、施工工数を低減できる。
【００１０】
また、上階建物ユニットの床梁は外ダイヤフラムを介して接合されることにより高強度の床枠組を構成できる。そして、上階建物ユニットのこの床枠組が、下階建物ユニットの輪郭に対応する部分枠組を形成し、下階建物ユニットの全ての柱の上端部を上階建物ユニットの部分枠組により連結するものであり、天井梁を備えない下階建物ユニットの建築強度を確保できる。
【００１１】
さらに、上階建物ユニットの床枠組を構成する外ダイヤフラムのうち、該上階建物ユニットの柱は挿入されず、下階建物ユニットの柱には対応することとなる外ダイヤフラムに短柱を挿入することにより、下階建物ユニットの柱の上端部をその短柱に接合でき、上階建物ユニットと下階建物ユニットを強固に接合できる。
【００１２】
また、上階建物ユニットと下階建物ユニットの柱の内部で、それらの係合部を嵌合体により挟持することにより、両柱を簡易に剛接合できる。このとき、現場溶接を伴うことなく、作業性を向上でき、柱の外観性も向上できる。
【００１３】
【発明の実施の形態】
図１は第１実施形態を示し、（Ａ）は上下の建物ユニットを分離して示す斜視図、（Ｂ）は上下の建物ユニットを接合した斜視図、図２は上階建物ユニットの床枠組を示し、（Ａ）は平面図、（Ｂ）は側面図、図３は上階建物ユニットの床枠組と柱を示す側面図、図４は上下の建物ユニットの柱接合構造を示し、（Ａ）は断面図、（Ｂ）は平面図、図５は第２実施形態を示し、（Ａ）は上下の建物ユニットを分離して示す斜視図、（Ｂ）は上下の建物ユニットを接合した斜視図、（Ｃ）は上階建物ユニットの床枠組を示す平面図、図６は第３実施形態を示し、（Ａ）は上下の建物ユニットを分離して示す斜視図、（Ｂ）は上下の建物ユニットを接合した斜視図、（Ｃ）は上階建物ユニットの床枠組を示す平面図、図７は第４実施形態を示し、（Ａ）は上下の建物ユニットを分離して示す斜視図、（Ｂ）は上下の建物ユニットを接合した斜視図、（Ｃ）は上階建物ユニットの床枠組を示す平面図である。
【００１４】
（第１実施形態）（図１〜図４）
本発明が適用されるユニット建物１は、複数の建物ユニットを左右上下に隣接して接合したものであり、その中の少なくとも一部に、図１に示す下階建物ユニット１０、上階建物ユニット２０を有している。
【００１５】
下階建物ユニット１０は、図１に示す如く、４本の床梁１１のそれぞれが例えば八角形状の４個の外ダイヤフラム１２のそれぞれを介して接合される床枠組１３を形成してなるとともに、４本の柱１４がそれら４個の外ダイヤフラム１２のそれぞれに挿入されて固定され、骨組構成材としての天井梁は備えない。床梁１１は外ダイヤフラム１２の外面に溶接されて剛接合され、柱１４は外ダイヤフラム１２に挿入されて溶接され剛接合される。
【００１６】
上階建物ユニット２０は、図１、図２に示す如く、４本の床梁２１と３本の張出床梁２１Ａのそれぞれが例えば八角形状の４個の外ダイヤフラム２２と２個の張出外ダイヤフラム２２Ａのそれぞれを介して接合される床枠組２３を形成してなるとともに、４本の柱２４がそれら２個の外ダイヤフラム２２と２個の張出外ダイヤフラム２２Ａのそれぞれに挿入されて固定され、骨組構成材としての天井梁は備えない。床梁２１、２１Ａは外ダイヤフラム２２、２２Ａの外面に溶接されて剛接合され、柱２４は外ダイヤフラム２２、２２Ａに挿入されて溶接され剛接合される。
【００１７】
このとき、上階建物ユニット２０の床枠組２３は、下階建物ユニット１０の全ての柱１４に対応する４個の外ダイヤフラム２２を備え、それらの外ダイヤフラム２２に接合される４本の床梁２１により下階建物ユニット１０の輪郭に対応する部分枠組２３Ａを形成することとしている。
【００１８】
また、上階建物ユニット２０の床枠組２３を構成する４個の外ダイヤフラム２２と２個の張出外ダイヤフラム２２Ａのうち、上階建物ユニット２０の柱２４は挿入されず、下階建物ユニット１０の柱１４に対応する２個の外ダイヤフラム２２には、下階建物ユニット１０の柱１４の上端部が接合されることとなる短柱２５が挿入される（図３）。
【００１９】
そして、ユニット建物１にあっては、上階建物ユニット２０の３本の張出床梁２１Ａを下階建物ユニット１０の輪郭の外方に張出して張出部１Ａを形成するとともに、下階建物ユニット１０の柱１４の上端部と、これに対応する上階建物ユニット２０の外ダイヤフラム２２に挿入された柱２４、短柱２５の下端部とを図４に示す締結具３０を用いて以下の如くにより接合している。
【００２０】
即ち、締結具３０を用いるに際し、下階建物ユニット１０の柱１４と上階建物ユニット２０の柱２４（もしくは短柱２５）にあっては、図４に示す如く、柱１４の内面にフランジ状に張出る上係合部１６を備え、柱２４の内面にフランジ状に張出る下係合部２６を備える。
【００２１】
そして、締結具３０は、柱１４の上係合部１６と柱２４の下係合部２６に嵌合してそれらの係合部１６、２６を挟持することにて、両柱１４、２４を締結する嵌合体３１と、この嵌合体３１のための嵌合駆動機構部４０とを有して構成される。ここで、嵌合駆動機構部４０は、柱外から挿入される締結工具により作動され、嵌合体３１を柱１４の上係合部１６と柱２４の下係合部２６に嵌合せしめるようにそれら嵌合体３１を外方に押動可能とする。
【００２２】
嵌合駆動機構部４０は、具体的には、ボルト４１と、ボルト４１に上下端を相対回転自在に挿通された湾曲リング板状体４２とからなり、板状体４２の外周等配位置としての３位置（もしくは４位置）に設けられる側部４３のそれぞれに嵌合体３１を溶接等により固定して構成される。ボルト４１は、板状体４２の上面板から遊挿され、下面板に溶接されているナット４４に螺着される。そして、締結工具によるボルト４１の回動により、板状体４２のリングを上下から挟圧変形せしめることにて、板状体４２の側部を外方に拡開動作せしめ、結果として各嵌合体３１を外方に押動せしめるものである。
【００２３】
これにより、下階建物ユニット１０の柱１４を上階建物ユニット２０の柱２４（短柱２５）に以下の如くに接合する。
【００２４】
▲１▼下階建物ユニット１０の柱１４の上端面に、締結具３０を構成する嵌合体３１の介装突部３２の先端部を載せ、締結具３０を仮置きする。
【００２５】
▲２▼下階建物ユニット１０の上に上階建物ユニット２０を搭載し、上階建物ユニット２０の柱２４を、下階建物ユニット１０の柱１４に仮置きされている上述▲１▼の嵌合体３１の介装突部３２の先端部の上に載置し、柱１４と柱２４を上下に合せる。
【００２６】
▲３▼締結工具を柱１４、２４の内部に挿入し、締結具３０のボルト４１に係着する。
【００２７】
▲４▼締結工具を回動操作することにより、ボルト４１を回動する。締結具３０の嵌合駆動機構部４０は、ボルト４１の回動とともに湾曲リング板状体４２を上下から挟圧変形し、この板状体４２の拡開動作により嵌合体３１を外方に押動せしめる。これにより、嵌合体３１は、介装突部３２を上下の柱１４、２４の端面の間に押込み移動させつつ、柱１４の上係合部１６と柱２４の下係合部２６に嵌合してそれらの係合部１６、２６を挟持し、結果として、上下の柱１４、２４を締結する。
【００２８】
従って、本実施形態によれば、以下の作用がある。
上階建物ユニット２０を下階建物ユニット１０より張出すに際し、下階建物ユニット１０の柱１４の上端部と、これに対応する上階建物ユニット２０の外ダイヤフラム２２、２２Ａに挿入された柱２４、２５の下端部とを接合することにより、上階建物ユニット２０と下階建物ユニット１０を強固に接合でき、下階建物ユニット１０に張出支持部材等を設けることのない単純な構造で、上階建物ユニット２０の張出部１Ａを支持できる。これにより、建物の外観性を簡素にし、施工工数を低減できる。
【００２９】
上階建物ユニット２０の床梁２１、２１Ａは外ダイヤフラム２２、２２Ａを介して接合されることにより高強度の床枠組２３を構成できる。そして、上階建物ユニット２０のこの床枠組２３が、下階建物ユニット１０の輪郭に対応する部分枠組２３Ａを形成し、下階建物ユニット１０の全ての柱１４の上端部を上階建物ユニット２０の部分枠組２３Ａにより連結するものであり、天井梁を備えない下階建物ユニット１０の建築強度を確保できる。
【００３０】
上階建物ユニット２０の床枠組２３を構成する外ダイヤフラム２２、２２Ａのうち、該上階建物ユニット２０の柱２４は挿入されず、下階建物ユニット１０の柱１４には対応することとなる外ダイヤフラム２２に短柱２５を挿入することにより、下階建物ユニット１０の柱１４の上端部をその短柱２５に接合でき、上階建物ユニット２０と下階建物ユニット１０を強固に接合できる。
【００３１】
上階建物ユニット２０と下階建物ユニット１０の柱２４、２５と柱１４の内部で、それらの係合部１６、２６を嵌合体３１により挟持することにより、両柱１４、２４を簡易に剛接合できる。このとき、現場溶接を伴うことなく、作業性を向上でき、柱１４、２４の外観性も向上できる。
【００３２】
（第２実施形態）（図５）
第２実施形態にあっては、上階建物ユニット２０が、図５に示す如く、４本の床梁２１と２本の張出床梁２１Ａのそれぞれを、４個の外ダイヤフラム２２と１個の張出外ダイヤフラム２２Ａのそれぞれを介して接合される床枠組２３を形成してなるとともに、４本の柱２４をそれらの３個の外ダイヤフラム２２と１個の張出外ダイヤフラム２２Ａのそれぞれに挿入されて固定され、骨組構成材としての天井梁は備えない。
【００３３】
また、上階建物ユニット２０は、４本の床梁２１により、下階建物ユニット１０の輪郭に対応する部分枠組２３Ａを形成している。また、上階建物ユニット２０の床枠組２３を構成する４個の外ダイヤフラム２２と１個の張出外ダイヤフラム２２Ａのうち、上階建物ユニット２０の柱２４は挿入されず、下階建物ユニット１０の柱１４に対応する１個の外ダイヤフラム２２に、下階建物ユニット１０の柱１４の上端部が接合される短柱２５が挿入される。
【００３４】
そして、ユニット建物１にあっては、上階建物ユニット２０の２本の張出床梁２１Ａを下階建物ユニット１０の輪郭の外方に張出して三角状張出部１Ａを形成するとともに、下階建物ユニット１０の柱１４の上端部と、これに対応する上階建物ユニット２０の外ダイヤフラム２２に挿入された柱２４、２５の下端部とを前述の締結具３０により接合して構築される。
【００３５】
（第３実施形態）（図６）
第３実施形態にあっては、上階建物ユニット２０が、図６に示す如く、４本の床梁２１と８本の張出床梁２１Ａのそれぞれを、４個の外ダイヤフラム２２と５個の張出外ダイヤフラム２２Ａのそれぞれを介して接合される床枠組２３を形成してなるとともに、４本の柱２４をそれらの１個の外ダイヤフラム２２と３個の張出外ダイヤフラム２２Ａのそれぞれに挿入されて固定され、骨組構成材としての天井梁を備えない。
【００３６】
また、上階建物ユニット２０は、４本の床梁２１により、下階建物ユニット１０の輪郭に対応する部分枠組２３Ａを形成している。また、上階建物ユニット２０の床枠組２３を構成する４個の外ダイヤフラム２２と５個の張出外ダイヤフラム２２Ａのうち、上階建物ユニット２０の柱２４は挿入されず、下階建物ユニット１０の柱１４に対応する３個の外ダイヤフラム２２に、下階建物ユニット１０の柱１４の上端部が接合される短柱２５が挿入される。
【００３７】
そして、ユニット建物１にあっては、上階建物ユニット２０の８本の張出床梁２１Ａを下階建物ユニット１０の輪郭の外方の２方向に張出して張出部１Ａ、１Ｂを形成するとともに、下階建物ユニット１０の柱１４の上端部と、これに対応する上階建物ユニット２０の外ダイヤフラム２２に挿入された柱２４、２５の下端部とを前述の締結具３０により接合して構築される。
【００３８】
（第４実施形態）（図７）
第４実施形態にあっては、上階建物ユニット２０が、図７に示す如く、６本の床梁２１と３本の張出床梁２１Ａと１本のセットバック床梁２１Ｂのそれぞれを、４個の外ダイヤフラム２２と２個の張出外ダイヤフラム２２Ａと２個のセットバック外ダイヤフラム２２Ｂのそれぞれを介して接合される床枠組２３を形成してなるとともに、４本の柱２４をそれらの１個の外ダイヤフラム２２と２個の張出外ダイヤフラム２２Ａと１個のセットバック外ダイヤフラム２２Ｂのそれぞれに挿入されて固定され、骨組構成材としての天井梁を備えない。
【００３９】
また、上階建物ユニット２０は、６本の床梁２１により、下階建物ユニット１０の輪郭に対応する部分枠組２３Ａを形成している。また、上階建物ユニット２０の床枠組２３を構成する４個の外ダイヤフラム２２と２個の張出外ダイヤフラム２２Ａと２個のセットバック外ダイヤフラム２２Ｂのうち、上階建物ユニット２０の柱２４は挿入されず、下階建物ユニット１０の柱１４に対応する３個の外ダイヤフラム２２に、下階建物ユニット１０の柱１４の上端部が接合される短柱２５が挿入される。
【００４０】
そして、ユニット建物１にあっては、上階建物ユニット２０の３本の張出床梁２１Ａを下階建物ユニット１０の輪郭の外方に張出して張出部１Ａを形成するとともに、上階建物ユニット２０のセットバック床梁２１Ｂを下階建物ユニット１０の輪郭の中にセットバックしてセットバック部１Ｃを形成し、下階建物ユニット１０の柱１４の上端部と、これに対応する上階建物ユニット２０の外ダイヤフラム２２に挿入された柱２４、２５の下端部とを前述の締結具３０により接合して構築される。
【００４１】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００４２】
【発明の効果】
以上のように本発明によれば、上階建物ユニットに張出部を設けるに際し、構造を単純化するとともに、外観性を簡素にし、施工工数も低減することができる。
【図面の簡単な説明】
【図１】図１は第１実施形態を示し、（Ａ）は上下の建物ユニットを分離して示す斜視図、（Ｂ）は上下の建物ユニットを接合した斜視図である。
【図２】図２は上階建物ユニットの床枠組を示し、（Ａ）は平面図、（Ｂ）は側面図である。
【図３】図３は上階建物ユニットの床枠組と柱を示す側面図である。
【図４】図４は上下の建物ユニットの柱接合構造を示し、（Ａ）は断面図、（Ｂ）は平面図である。
【図５】図５は第２実施形態を示し、（Ａ）は上下の建物ユニットを分離して示す斜視図、（Ｂ）は上下の建物ユニットを接合した斜視図、（Ｃ）は上階建物ユニットの床枠組を示す平面図である。
【図６】図６は第３実施形態を示し、（Ａ）は上下の建物ユニットを分離して示す斜視図、（Ｂ）は上下の建物ユニットを接合した斜視図、（Ｃ）は上階建物ユニットの床枠組を示す平面図である。
【図７】図７は第４実施形態を示し、（Ａ）は上下の建物ユニットを分離して示す斜視図、（Ｂ）は上下の建物ユニットを接合した斜視図、（Ｃ）は上階建物ユニットの床枠組を示す平面図である。
【符号の説明】
１  ユニット建物
１Ａ、１Ｂ  張出部
１０  下階建物ユニット
１４  柱
１６  係合部
２０  上階建物ユニット
２１  床梁
２１Ａ  張出床梁
２２、２２Ａ  外ダイヤフラム
２３  床枠組
２３Ａ  部分枠組
２４  柱
２５  短柱
２６  係合部
３１  嵌合体
【図１】
0004104245.tif 000002
【図２】
0004104245.tif 000003
【図３】
0004104245.tif 000004
【図４】
0004104245.tif 000005
【図５】
0004104245.tif 000006
【図６】
0004104245.tif 000007
【図７】
0004104245.tif 000008